(57)【要約】【課題】携帯用電子機器の筐体を、軽量でしかも機械的な剛性強度が得られるようにすると共に、アンテナ特性などにも考慮した構造を提供することが課題である。【解決手段】表示部筐体を構成する表示部側のフロントケースと、操作部筐体を構成する操作部側のフロントケースとをマグネシウム合金により形成すると共に、表示部筐体を構成する表示部とは逆側のリアケースをアルミニウム合金で形成し、前記アルミニウム合金のマグネシウム合金との接触部に防錆処理を施して軽量で薄型、しかも機械的な剛性強度が得られるようにした。【選択図】      図１
2004304445.tif 000002
【特許請求の範囲】
【請求項１】
表示部を配した一の筐体と操作部を配した他の筐体とを有する携帯用電子機器であって、
前記一の筐体を構成する表示部側のフロントケースと、他の筐体を構成する操作部側のフロントケースとをマグネシウム合金により形成すると共に、前記一の筐体を構成する表示部とは逆側のリアケースをアルミニウム合金で形成し、前記アルミニウム合金のマグネシウム合金との接触部に防錆処理を施してなることを特徴とする携帯用電子機器。
【請求項２】
前記一の筐体と他の筐体とを折り畳み可能に構成したことを特徴とする請求項１に記載した携帯用電子機器。
【請求項３】
前記他の筐体に無線回路とアンテナを配し、操作部とは逆側のリアケースを樹脂で形成したことを特徴とする請求項１又は２に記載した携帯用電子機器。
【発明の詳細な説明】
【０００１】
【発明の属する技術分野】
本発明は、ＰＤＣ（Ｐｅｒｓｏｎａｌ  Ｄｉｇｉｔａｌ  Ｃｅｌｌｕｌａｒ：携帯電話）、ＰＨＳ（Ｐｅｒｓｏｎａｌ  Ｈａｎｄｙ−Ｐｈｏｎｅ  Ｓｙｓｔｅｍ）、ＣＤＭＡ（Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）、ＰＤＡ（個人向け小型携帯情報端末：ＰｅｒｓｏｎａｌＤｉｇｉｔａｌ  Ａｓｓｉｓｔａｎｔｓ）や携帯型パソコンなどの携帯用電子機器に関し、特に、軽量で、薄型化することが可能な携帯用電子機器に関するものである。
【０００２】
【従来の技術】
現在、携帯用電子機器には、ＰＤＣ（Ｐｅｒｓｏｎａｌ  Ｄｉｇｉｔａｌ  Ｃｅｌｌｕｌａｒ：携帯電話）、ＰＨＳ（Ｐｅｒｓｏｎａｌ  Ｈａｎｄｙ−Ｐｈｏｎｅ  Ｓｙｓｔｅｍ）、ＣＤＭＡ（Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）、手帳並みの大きさのＰＤＡ（個人向け小型携帯情報端末：Ｐｅｒｓｏｎａｌ  Ｄｉｇｉｔａｌ  Ａｓｓｉｓｔａｎｔｓ）や携帯型のパソコンなど、いろいろな種類のものが作られている。そしてこれら携帯用電子機器は、軽量、薄型で剛性に富み、小型に作られることが望まれている。
【０００３】
特許文献１には、表示部を有する表示部筐体と操作部を有する操作部筐体とを折り畳めるようにした携帯端末装置において、前記表示部筐体及び操作部筐体をそれぞれ構成するフロントケースとリアケースをそれぞれマグネシウムにより形成したものが提案されている。
【０００４】
【特許文献１】
特開２００１−１８９７８６公報
【０００５】
【発明が解決しようとする課題】
しかしながら、マグネシウムは高価な材料であるため、携帯無線端末を構成する筐体全体をマグネシウムにより形成すると、非常に高価なものになってしまうといった不都合があった。また、マグネシウムは比較的柔らかい材質であるため、筐体の変形等を招く恐れもあった。
【０００６】
さらに、アンテナを備えるケースを金属により形成すると、電波等のアンテナ特性に影響を及ぼし、良好な受信ができなくなる恐れもあった。
【０００７】
そのため、本発明においては、軽量、薄型で、しかも機械的な剛性強度が得られるようにすると共に、アンテナ特性などにも考慮した安価な携帯用電子機器を提供することが課題である。
【０００８】
【課題を解決するための手段】
そのため本発明においては、
表示部を配した一の筐体と操作部を配した他の筐体とを有する携帯用電子機器であって、
前記一の筐体を構成する表示部側のフロントケースと、他の筐体を構成する操作部側のフロントケースとをマグネシウム合金により形成すると共に、前記一の筐体を構成する表示部とは逆側のリアケースをアルミニウム合金で形成し、前記アルミニウム合金のマグネシウム合金との接触部に防錆処理を施してなることを特徴とする。
【０００９】
このように、携帯用電子機器の筐体における表示部周囲を含む一の筐体はフロントケース側をマグネシウム合金で、リアケース側はアルミニウム合金で構成することにより、強度を維持したまま薄く、軽量に形成でき、しかもこのように薄く形成しても撓みに強く、内部の表示装置が例え液晶表示装置で構成されていても、落下や一の筐体背面からの押圧があっても割れやチップ部品の半田剥離等が発生するといった恐れのない筐体を提供することができる。またこのように、アルミニウム合金とマグネシウム合金のように異なった金属を使った場合、その接触部で電位差によって電解腐食が起きるが、接触部に防錆処理を施したことによってこういったことも防ぐことができ、小型軽量で薄く、しかも機械的な剛性強度が得られる携帯用電子機器を提供することができる。
【００１０】
そしてこの携帯用電子機器は、前記一の筐体と他の筐体とを折り畳み可能に構成したことにより、折り畳んだ際には小型化でき、携帯に便利な携帯用電子機器を提供することができる。
【００１１】
さらに、前記他の筐体に無線回路とアンテナを配し、操作部とは逆側のリアケースを樹脂で形成したことにより、電波等のアンテナ特性に影響を及ぼすことなく、良好な受信ができる筐体を、小型軽量で薄く、しかも機械的な剛性強度が得られるように構成することができる。
【００１２】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１３】
図１は本発明の携帯用電子機器を携帯電話機に適用した一実施形態を示す分解斜視図、図２は図１に示す携帯電話機を裏面側から見た斜視図、図３は図１に示す携帯電話機を正面側から見た斜視図である。
【００１４】
図１乃至図３に示す携帯電話機は、折り畳み式のものであり、１は液晶などで構成した表示装置１５を備えた表示部筐体、２は入力用の操作キー１８を備えた操作部筐体、１２は樹脂により形成された内部枠体、１３は表示部１５の周囲を覆い、マグネシウム合金により形成されたフロントケース、１４はヒンジ連結部、１６はスピーカ、２１は樹脂により形成された操作部筐体２のバッテリー２５を収容する部分のバッテリーリッド、２２は樹脂により形成された操作部筐体２のリアケース、２３は操作部筐体２のマグネシウム合金で形成したフロントケース、２４はアンテナ、２５はバッテリー、２６は回路基板である。
【００１５】
本発明においては、表示部筐体１における液晶などで構成した表示装置１５の周囲を覆うフロントケース１３をマグネシウム合金で形成し、同じく表示部筐体１のリアケース１１をアルミニウム合金で形成してある。また、アルミニウム合金とマグネシウム合金のように異なった金属を使った場合、その接触部で電位差によって電解腐食が起きるが、それを防止するため、マグネシウム合金側には化成処理を施して塗装処理して防錆処理し、さらに、アルミニウム合金で形成したリアケース１１とマグネシウム合金で形成したフロントケース１３との嵌合用として、アルミニウム合金との接着により構成したモールドを間に挟んで防錆に対応している。なお、化成処理としては、クロメート処理又はノンクロメート処理があり、ノンクロメート処理を施す場合、Ｚｒ系、Ｔｉ系、Ｍｏ系、Ｍｎ系、Ｃｅ系の皮膜を形成したものを用いれば良い。
【００１６】
また、回路基板２６を内部に有する操作部筐体２は、操作部１８の周囲を含むフロントケース２３をマグネシウム合金で形成してあるが、リアケース２２とバッテリーリッド２１は樹脂で形成し、さらにアンテナ２４をこの操作部筐体２側に設けてある。
【００１７】
このように、表示部筐体１の表示部１５の周囲を覆うフロントケース１３をマグネシウム合金で、リアケース１１をアルミニウム合金で形成したことにより、筐体の強度が大幅に向上し、それぞれのケース１１、１３を樹脂で形成した場合より肉厚を薄く形成できるから、セット全体の薄型化が図れる。また、図４に示したように、落下した際、ケース１３に樹脂を使用して形成したものではケース１１、１３が割れたり破損したりする恐れがあったが、本発明のケース１１、１３ではアルミニウム合金とマグネシウム合金を使用しているため撓みを最小限におさえられ、内部の液晶表示装置や、内部基板、外装の割れや破損を防止できる。
【００１８】
また、図５のように背面からの静圧がかかっても、リアケース１１がアルミニウム合金で形成されているから、リブの追加やケース１１の肉厚を増やさなくても撓みが発生せず、表示部１５を液晶表示装置などで構成しても、割れやチップ部品の半田剥離等が発生する恐れがなくなる。また、アルミニウム合金は熱伝導率が高いので、樹脂等の別部品を熱圧着し、ネジ止め機能や嵌合機能等を持たせることも可能となる。さらに前記したように、異種金属同士の組み合わせにおいては電位差により電解腐食（ガルパニックコロージョン）が発生するが、アルミニウム合金はマグネシウム合金との電位差が少なく、前記したようにアルミニウム合金側にはアルマイト処理を、マグネシウム合金側には化成処理と塗装処理を施して防錆処理し、さらに、アルミニウム合金で形成したリアケース１１とマグネシウム合金で形成したフロントケース１３との嵌合用としてアルミニウム合金との接着により構成したモールドを間に挟んだことにより、品質上問題無く製品化が可能となる。
【００１９】
また電子回路やアンテナ２４を収容した操作部筐体２側は、操作部周囲を含むフロントケース２３をマグネシウム合金で形成してあるが、リアケース２２とバッテリーリッド２１は樹脂で形成されているから、電波等のアンテナ特性に影響を及ぼすことは回避される。また、筐体を樹脂で構成した場合に比し、マグネシウム合金とアルミニウム合金を使用した場合はメタル感や、見栄え、手触り等の質感の向上が図れ、アルミニウム合金表面のアルマイト塗装処理によって外観での差別化ができる。
【００２０】
さらに、高価なマグネシウム合金は表示部筐体１のフロントケース１３と操作部筐体２のフロントケース２３にだけ使用したことから、携帯電話機を安価に製造することができると共に、フロントケース１３、２３側に同極の材質により形成したことから両筐体１、２を開いた際の色合い、質感を統一することができる。
【００２１】
なお、以上の説明では携帯用電子機器として携帯電話の場合を例に説明してきたが、本発明は手帳並みの大きさのＰＤＡ（個人向け小型携帯情報端末：Ｐｅｒｓｏｎａｌ  Ｄｉｇｉｔａｌ  Ａｓｓｉｓｔａｎｔｓ）や携帯型パソコンなど、種々の携帯用電子機器に応用できることは明らかである。
【００２２】
【発明の効果】
以上記載の如く本発明によれば、携帯用電子機器の筐体における表示部周囲を含む筐体のフロントケースの少なくとも一部をマグネシウム合金により形成し、前記フロントケースと対向するリアケースの少なくとも一部をアルミニウム合金により形成したことから筐体にリブの追加などをすることなく小型で薄く、軽量に形成でき、しかもこのように薄く形成しても撓みに強く、表示部が例えば液晶表示装置で構成されていても、落下や表示部筐体背面からの押圧があっても割れやチップ部品の半田剥離等が発生するといった恐れのないものとすることができる。また、アルミニウム合金とマグネシウム合金とを当接させる場合、その接触部で電位差による電解腐食が起きるが、アルミニウム合金の接触部に防錆処理を施すようにしたことから、電解腐食を防止できる。
【００２３】
さらに、高価なマグネシウム合金はフロントケースにだけ使用したことから、携帯電話機を安価に製造することができると共に、２つの筐体のフロントケース側に同種の材質により形成してあることから、２つの筐体を開いた際の色合いを統一することができる。
【図面の簡単な説明】
【図１】本発明の携帯用電子機器を携帯電話機に適用した一実施形態を示す分解斜視図である。
【図２】図１に示す携帯電話機を裏面側から見た斜視図である。
【図３】図１に示す携帯電話機を正面側から見た斜視図である。
【図４】図１に示す携帯電話機を表示部筐体側から落下させた場合の状態を示す側面図である。
【図５】図１に示す携帯電話機の表示部筐体に背面静圧がかかった場合を説明するための側面図である。
【符号の説明】
１  表示部筐体
２  操作部筐体
１１  リアケース
１２  内部枠体
１３  フロントケース
１４  ヒンジ部
１５  表示部
１６  スピーカ
２１  バッテリーリッド
２２  リアケース
２３  フロントケース
２４  アンテナ
２５  バッテリー
２６  回路基板
【図１】
2004304445.tif 000003
【図２】
2004304445.tif 000004
【図３】
2004304445.tif 000005
【図４】
2004304445.tif 000006
【図５】
2004304445.tif 000007